(57)【要約】  外装ケーブルタイプ、メタルクラッドケーブルタイプ、および金属性シースケーブルタイプとの間でのアース、結合、および電磁両立性のためのケーブルグランド１００および方法。ケーブルグランド１００は、ケーブルグランド１００に挿入されたケーブルの周りに締結する、ケーブルグランド１００のグランド本体４０の内側に配置される調節可能アースコイル６０を含む。調節可能アースコイル６０は、完全に巻かれているときは弛緩しており、調節可能アースコイル６０が伸ばされたとき、調節可能アースコイル６０により復元力が発生する。ケーブルグランド１００の調節可能アースコイル６０に取り付けられるアースストラップ１６２０により、ケーブルグランド１００に接地機能が与えられる。【選択図】図１Ｂ
2020501499.tif 000002
【特許請求の範囲】
【請求項１】
グランド本体と、
前記グランド本体の一方の端部に外側で連結される外部ハウジングと、
前記グランド本体の外側に配置される第１の座金と、
前記グランド本体の外側に配置される第２の座金と、
前記グランド本体の外側に配置される座金シーラントと、
前記グランド本体の内側に配置される調節可能アースコイルとを備え、
前記グランド本体が、
前記グランド本体の中に設けられた封止コネクタと、
前記外部ハウジングによって受けられるテーパ領域と、
前記グランド本体の前記テーパ領域に隣り合う第１のねじ山セットとを備え、
前記外部ハウジングが、１つまたは複数のアパーチャを有し、
前記外部ハウジングは、前記グランド本体に連結され、前記グランド本体の前記第１のねじ山セットの周りで回されると、前記テーパ領域を圧縮するように構成され、それにより、前記封止コネクタグランドがケーブルの周りで締まることが可能になる、
ケーブルグランド。
【請求項２】
前記グランド本体に解除機構をさらに備える、請求項１に記載のケーブルグランド。
【請求項３】
前記解除機構がばねボタンである、請求項２に記載のケーブルグランド。
【請求項４】
前記解除機構が、前記テーパ領域の１つまたは複数のアパーチャである、請求項２に記載のケーブルグランド。
【請求項５】
前記外部ハウジングの前記アパーチャと前記グランド本体の前記アパーチャとが、連結されると揃って、少なくとも１つの止めねじを受けるように構成される、請求項４に記載のケーブルグランド。
【請求項６】
前記グランド本体の前記第１のねじ山セットの長さの一部が着色された、請求項１に記載のケーブルグランド。
【請求項７】
前記調節可能アースコイルが、円形の形状に巻かれた、平坦でテーパの付いた１枚の長方形の材料であり、各コイルが、前のコイルに重ねて配設されて丸まった平らなリボンを形成し、前記テーパの付いた長方形材料の幅が広いほうの端部が前記コイルの内層を形成し、幅が狭いほうの端部が前記コイルの外層を形成し、前記コイル外層の前記端部が、前記コイルが巻かれているのとは逆の方向にわずかな曲げ部を形成する、請求項１に記載のケーブルグランド。
【請求項８】
一体化されたタブが、前記調節可能アースコイルに取り付けられる、請求項７に記載のケーブルグランド。
【請求項９】
前記第２の座金のある一方の平坦面に当接する前記座金シーラントのある一方の平坦面を備える、合わせ座金／シーラントコンボをさらに備え、それにより、小さな細いアパーチャを除いて、前記座金同士の間には空間が残らず、前記小さな細いアパーチャは、前記座金の周縁部の一部であり、前記座金シーラントと前記第２の座金の両方の周縁部に沿った場所で、両方の座金の外周部から両方の座金の内周部へと、前記２つの座金の間に穴開けされる、請求項８に記載のケーブルグランド。
【請求項１０】
前記第１の座金が、前記グランド本体の第２のねじ山セットにまず配置され、次いで、前記合わせ座金／シーラントコンボが、前記グランド本体の前記第２のねじ山セットに配置され、次いで、前記調節可能アースコイルが、前記合わせ座金／シーラントコンボの内側に挿入され、前記合わせ座金／シーラントコンボの前記細いアパーチャに前記調節可能アースコイルの前記一体化されたタブを挿入することによって定位置に保持される、請求項９に記載のケーブルグランド。
【請求項１１】
前記調節可能アースコイルの端部の前記曲げ部が前記グランド本体の溝に引っ掛かっているとき、前記合わせ座金／シーラントコンボが前記グランド本体の第２のねじ山セットの周りで回されるにつれて、前記調節可能アースコイルが伸縮する、請求項１０に記載のケーブルグランド。
【請求項１２】
前記調節可能アースコイルは、前記合わせ座金／シーラントコンボが前記グランド本体の前記第２のねじ山セットの周りである方向に回されたときに伸び、前記合わせ座金／シーラントコンボが前記グランド本体の前記第２のねじ山セットの周りで逆の方向に回されたときに縮む、請求項１１に記載のケーブルグランド。
【請求項１３】
前記ケーブルグランドに挿入されるケーブルに連結される短絡防止ブッシングをさらに備える、請求項１に記載のケーブルグランド。
【請求項１４】
前記調節可能アースコイルが、平坦な円形材料であり、前記平坦な円形材料は、それに取り付けられた一体化されたタブと、前記円形材料の中心を通って切り取られ、押し出されて前記円形材料の中心に星形の穴を形成する、星形の穴とを有する、請求項１に記載のケーブルグランド。
【請求項１５】
前記調節可能アースコイルが、開いた端部を有する短いシリンダであり、前記シリンダの一方の端部が、切れ目が存在しない前記シリンダの反対側の端部に向かって作成された、均等な間隔のいくつかの切れ目を有し、それによっていくつかのフラップを形成し、１つを除く各フラップが、前記切れ目が作成された前記シリンダの前記端部の開口のほうに４５度折り曲げられ、前記切れ目が作成された前記シリンダの前記端部の前記開口のほうに折り曲げられなかった前記１つのフラップが、前記切れ目が作成された前記シリンダの前記端部の前記開口から離れるように、逆の方向で外向きに９０度折り曲げられて、ケーブルコネクタを接地するために使用される一体化されたタブを形成する、請求項１に記載のケーブルグランド。
【請求項１６】
前記グランド本体が、シーラントを受けるために挿入される独立したスリーブをさらに備える、請求項１に記載のケーブルグランド。
【請求項１７】
前記シーラントが、エポキシを含む、請求項１６に記載のケーブルグランド。
【請求項１８】
前記ケーブルグランドが、非金属性材料から作成される、請求項１に記載のケーブルグランド。
【請求項１９】
グランド本体と、
前記グランド本体の一方の端部に外側で連結される外部ハウジングと、
前記グランド本体の外側に配置される座金と、
前記グランド本体の内側に配置される調節可能アースインサートとを備え、
前記グランド本体が、
前記グランド本体の中に設けられた封止コネクタと、
前記外部ハウジングの中に受けられるテーパ領域と、
前記グランド本体の前記テーパ領域に隣り合う第１のねじ山セットとを備え、
前記外部ハウジングが、１つまたは複数のアパーチャを有し、
前記外部ハウジングは、前記グランド本体に連結され、前記グランド本体の前記第１のねじ山セットの周りで回されると、前記テーパ領域を圧縮するように構成され、それにより、前記封止コネクタグランドがケーブルの周りで締まることが可能になる、
ケーブルグランド。
【請求項２０】
前記グランド本体に解除機構をさらに備える、請求項１９に記載のケーブルグランド。
【請求項２１】
前記解除機構がばねボタンである、請求項２０に記載のケーブルグランド。
【請求項２２】
前記解除機構が、前記テーパ領域の１つまたは複数のアパーチャである、請求項２０に記載のケーブルグランド。
【請求項２３】
前記外部ハウジングの前記アパーチャと前記グランド本体の前記アパーチャとが、連結されると揃って、少なくとも１つの止めねじを受けるように構成される、請求項２２に記載のケーブルグランド。
【請求項２４】
前記グランド本体の前記第１のねじ山セットの長さの一部が着色された、請求項１９に記載のケーブルグランド。
【請求項２５】
前記調節可能アースインサートが、円筒形インサートの外辺部の内側で円形の形状に巻かれた平坦な１枚の長方形の材料からなる定力ばねであり、各コイルが、前のコイルの周りを囲んで、丸まった平らなリボンを形成し、前記コイルの一方の端部が、前記コイルが巻かれているのとは逆の方向にわずかな曲げ部を形成する、請求項１９に記載のケーブルグランド。
【請求項２６】
一体化されたタブが、前記調節可能アースインサートに取り付けられる、請求項２５に記載のケーブルグランド。
【請求項２７】
短絡防止ブッシングが、前記調節可能アースインサートに取り付けられる、請求項２６に記載のケーブルグランド。
【請求項２８】
前記座金が前記グランド本体にまず連結され、次いで、前記調節可能アースインサートが前記グランド本体に挿入される、請求項２７に記載のケーブルグランド。
【請求項２９】
前記調節可能アースインサートが、前記グランド本体の少なくとも１つまたは複数の溝に前記調節可能アースインサートの端部の前記曲げ部を引っ掛けることによって挿入される、請求項２８に記載のケーブルグランド。
【請求項３０】
前記調節可能アースインサートが、前記グランド本体の前記内周部の周りの円形のレッジに前記調節可能アースインサートを嵌合させることによって挿入される、請求項２８に記載のケーブルグランド。
【請求項３１】
前記調節可能アースインサートは、前記グランド本体の内側の前記調節可能アースインサートを回転させる力が加えられたときに伸び、前記力が緩められたときに縮む、請求項２８に記載のケーブルグランド。
【請求項３２】
前記ケーブルグランドが、非金属性材料から作成される、請求項１９に記載のケーブルグランド。
【請求項３３】
グランド本体と、
前記グランド本体の一方の端部に外側で連結される外部ハウジングと、
前記グランド本体の外側に配置される座金と、
前記グランド本体の内側に配置される調節可能アースインサートクランプとを備え、
前記グランド本体が、
前記グランド本体の中に設けられた封止コネクタと、
前記外部ハウジングの中に受けられるテーパ領域と、
前記グランド本体の前記テーパ領域に隣り合う第１のねじ山セットとを備え、
前記外部ハウジングが、１つまたは複数のアパーチャを有し、
前記外部ハウジングは、前記グランド本体に連結され、前記グランド本体の前記第１のねじ山セットの周りで回されると、前記テーパ領域を圧縮するように構成され、それにより、前記封止コネクタグランドがケーブルの周りで締まることが可能になる、
ケーブルグランド。
【請求項３４】
前記グランド本体に解除機構をさらに備える、請求項３３に記載のケーブルグランド。
【請求項３５】
前記解除機構が、ばねボタンである、請求項３４に記載のケーブルグランド。
【請求項３６】
前記解除機構が、前記テーパ領域の１つまたは複数のアパーチャである、請求項３４に記載のケーブルグランド。
【請求項３７】
前記外部ハウジングの前記アパーチャと前記グランド本体の前記アパーチャとが、連結されると揃って、少なくとも１つの止めねじを受けるように構成される、請求項３６に記載のケーブルグランド。
【請求項３８】
前記グランド本体の前記第１のねじ山セットの長さの一部が着色された、請求項３３に記載のケーブルグランド。
【請求項３９】
前記調節可能アースインサートクランプが、調節可能ケーブルインサートクランプである、請求項３３に記載のケーブルグランド。
【請求項４０】
一体化されたタブが、前記調節可能アースインサートクランプに取り付けられる、請求項３９に記載のケーブルグランド。
【請求項４１】
短絡防止ブッシングが、前記調節可能アースインサートクランプに取り付けられる、請求項４０に記載のケーブルグランド。
【請求項４２】
前記座金が、前記グランド本体の第２のねじ山セットの周りで外側にまず配置され、次いで、前記調節可能アースインサートクランプが、前記第２のねじ山セットが収容された前記グランド本体の端部で前記グランド本体に挿入される、請求項４１に記載のケーブルグランド。
【請求項４３】
前記調節可能アースインサートクランプが、前記グランド本体の内周部の周りの円形のレッジに前記調節可能アースインサートクランプを嵌合させることによって挿入される、請求項４２に記載のケーブルグランド。
【請求項４４】
前記調節可能アースインサートクランプが、前記調節可能アースインサートクランプの上部のクランプタブを調節することによって伸縮する、請求項４２に記載のケーブルグランド。
【請求項４５】
前記クランプタブを調節することが、前記調節可能アースインサートクランプの本体に前記クランプタブを連結するねじのセットを緩めることを含む、請求項４４に記載のケーブルグランド。
【請求項４６】
前記ケーブルグランドが、非金属性材料から作成される、請求項３３に記載のケーブルグランド。
【請求項４７】
アースコイルであって、
円形の形状に巻かれた、テーパの付いた長方形の平坦な１枚の材料であって、各コイルが、前のコイルに重ねて配設されて丸まった平らなリボンを形成し、前記材料が、完全に巻かれているときは弛緩しており、前記材料が広げられたときには復元力が発生し、前記発生した力が、弛緩して丸まった位置へと前記材料を戻らせるように動作する、テーパの付いた長方形の平坦な１枚の材料と、
前記アースコイルに取り付けられた一体化されたタブと
を備える、アースコイル。
【請求項４８】
前記コイルが調節可能である、請求項４７に記載のアースコイル。
【請求項４９】
アースストラップの第１の端部が、前記アースコイルに取り付けられた前記一体化されたタブに取り付けられる、請求項４８に記載のアースコイル。
【請求項５０】
前記アースストラップが、連結点を介して前記アースコイルに取り付けられる、請求項４８に記載のアースコイル。
【請求項５１】
前記アースストラップが、前記アースコイルの前記連結点に前記アースストラップを機械的に連結することによって取り付けられる、請求項５０に記載のアースコイル。
【請求項５２】
前記アースストラップが、アース編組線であり、導電性金属から作成される、請求項４９に記載のアースコイル。
【請求項５３】
前記アースコイルが、ケーブルグランドの前記本体の中に上向きらせん円錐体を形成するように構成される、請求項４７に記載のアースコイル。
【請求項５４】
前記上向きらせん円錐体が、シーラントを受けるように構成される、請求項５３に記載のアースコイル。
【請求項５５】
前記シーラントがエポキシである、請求項５４に記載のアースコイル。
【請求項５６】
調節可能アースインサートであって、
ケーブルクランプインサートの内周部の周りで円形の形状に巻かれたテーパの付いた長方形の平坦な１枚の導電性材料からなる定力ばねであって、各コイルが、前のコイルの周りに巻かれて丸まった平らなリボンを形成し、前記コイルの一方の端部が、前記コイルが巻かれているのとは逆の方向にわずかな曲げ部を形成し、前記材料が、完全に巻かれているときは弛緩しており、前記テーパの付いた長方形の材料が広げられたときには、復元力が発生して、その弛緩して丸まった位置へと前記テーパの付いた長方形の材料を戻らせるように動作する、定力ばねと、
前記調節可能アースインサートに取り付けられた一体化されたタブとを備える、
調節可能アースインサート。
【請求項５７】
アースストラップの第１の端部が、前記調節可能アースインサートに取り付けられた前記一体化されたタブに取り付けられる、請求項５６に記載の調節可能アースインサート。
【請求項５８】
前記アースストラップが、前記調節可能アースインサートの連結点を介して前記調節可能アースインサートに取り付けられる、請求項５７に記載の調節可能アースインサート。
【請求項５９】
前記アースストラップが、前記調節可能アースインサートの前記連結点に前記アースストラップを機械的に連結することによって取り付けられる、請求項５８に記載の調節可能アースインサート。
【請求項６０】
前記アースストラップが、アース編組線であり、導電性金属から作成される、請求項５７に記載の調節可能アースインサート。
【請求項６１】
前記調節可能アースインサートに取り付けられる短絡防止ブッシングをさらに備える、請求項５６に記載の調節可能アースインサート。
【請求項６２】
調節可能アースインサートクランプであって、
調節可能ケーブルクランプインサートと、
前記調節可能アースインサートクランプに取り付けられた一体化されたタブと
を備える、調節可能アースインサートクランプ。
【請求項６３】
アースストラップの第１の端部が、前記調節可能アースインサートクランプに取り付けられた前記一体化されたタブに取り付けられる、請求項６２に記載の調節可能アースインサートクランプ。
【請求項６４】
前記アースストラップが、連結点を介して前記調節可能アースインサートクランプに取り付けられる、請求項６３に記載の調節可能アースインサートクランプ。
【請求項６５】
前記アースストラップが、前記調節可能アースインサートクランプの前記連結点に前記アースストラップを機械的に連結することによって取り付けられる、請求項６４に記載の調節可能アースインサートクランプ。
【請求項６６】
前記アースストラップが、アース編組線であり、導電性金属から作成される、請求項６３に記載の調節可能アースインサートクランプ。
【請求項６７】
前記調節可能アースインサートクランプに取り付けられる短絡防止ブッシングをさらに備える、請求項６２に記載の調節可能アースインサートクランプ。
【請求項６８】
座金シーラント、第２の座金、第１の座金、調節可能アースコイル、外部ハウジングおよびグランド本体からなるケーブルグランドを通るケーブルを接地する方法であって、前記グランド本体が、前記グランド本体の中に設けられた封止コネクタと、前記外部ハウジングの中に受けられるテーパ領域と、前記グランド本体の前記テーパ領域に隣り合う第１のねじ山セットとを備え、前記外部ハウジングが、１つまたは複数のアパーチャを有し、前記方法が、
前記調節可能アースコイルに取り付けられた一体化されたタブが前記ケーブルグランドから突出するのを可能にするように、前記ケーブルグランドの一方の端部に前記調節可能アースコイルを挿入するステップと、
前記ケーブルグランドの各端部にケーブル受けアパーチャを開けるステップと、
ケーブルを受けるのに十分な大きさの円周まで前記調節可能アースコイルを伸ばすステップと、
前記ケーブルグランドの第１のアパーチャに前記ケーブルを挿入し、前記ケーブルグランドに前記ケーブルを通して前記ケーブルグランドの第２のアパーチャから出すステップと、
前記調節可能アースコイルが挿入された前記端部とは反対側の前記ケーブル受けアパーチャを、前記ケーブルの定位置に前記ケーブルグランドを保持および締結するのに十分に堅く締めるステップと、
前記調節可能アースコイルと相互作用することになる領域の前記ケーブルの周りに短絡防止ブッシングを挿入するステップと、
前記ケーブルグランド内部の前記調節可能アースコイルが、接地用に露出した前記ケーブルの領域において前記ケーブルの周りで締まるように、前記調節可能アースコイルを縮めるステップと、
前記ケーブルグランドの外部の接地要素に前記調節可能アースコイルを連結するステップと
を含む、方法。
【請求項６９】
前記調節可能アースコイルを挿入するステップが、
前記ケーブルグランドの一方の端部で、２つの座金の間に前記調節可能アースコイルを挿入するステップと、
前記コイルの端部が前記ケーブルグランドの前記本体の少なくとも１つまたは複数の溝に引っ掛かるように、前記調節可能アースコイルを回すステップと
を含む、請求項６８に記載の方法。
【請求項７０】
前記調節可能アースコイルを伸ばすステップが、前記ケーブルグランドの前記グランド本体の前記少なくとも１つまたは複数の溝に前記調節可能アースコイルの前記端部を引っ掛けるステップと、前記調節可能アースコイルが巻かれている方向とは逆の方向に前記ケーブルグランドを回すステップとを含む、請求項６８に記載の方法。
【請求項７１】
前記調節可能接地コイルが挿入された場所とは反対側の前記ケーブルグランドの前記端部を締めるステップが、前記グランド本体の前記テーパ領域に隣り合う前記第１のねじ山セットの周りで前記ケーブルグランドの前記外部ハウジングを回すステップを含む、請求項６８に記載の方法。
【請求項７２】
前記調節可能アースコイルを縮めるステップが、前記ケーブルグランドの前記グランド本体の前記少なくとも１つまたは複数の溝に前記調節可能アースコイルの前記端部を引っ掛けるステップと、前記調節可能アースコイルに加えられている、前記調節可能アースコイルが巻かれている方向とは逆の方向に前記調節可能アースコイルを回転させているいかなる圧力も緩めるステップとを含む、請求項６８に記載の方法。
【請求項７３】
前記調節可能アースコイルを縮めるステップが、前記ケーブルグランドの前記グランド本体の少なくとも１つまたは複数の溝に前記調節可能アースコイルの前記端部を引っ掛けるステップと、前記調節可能アースコイルが巻かれているのと同じ方向に、前記グランド本体の第２のねじ山セットの周りで前記第２の座金を回すステップとを含む、請求項６８に記載の方法。
【請求項７４】
前記調節可能アースコイルを縮めるステップが、前記ケーブルグランドの内側に沿って前記コイルを延ばして、シーラントを受けるように構成されたスリーブを形成するステップをさらに含む、請求項７３に記載の方法。
【請求項７５】
前記ケーブルグランドの外部の接地要素に前記調節可能アースコイルを連結するステップが、前記調節可能アースコイルに取り付けられた一体化されたタブにアースストラップの第１の端部を取り付けるステップと、前記ケーブルグランドの外部のアース点に前記アースストラップの第２の端部を取り付けるステップとを含む、請求項６８に記載の方法。
【請求項７６】
前記ケーブルグランドの外部の接地要素に前記調節可能アースコイルを連結するステップが、前記調節可能アースコイルにアースストラップの第１の端部を取り付けるステップと、前記ケーブルグランドの外部のアース点に前記アースストラップの前記第２の端部を取り付けるステップとを含む、請求項６８に記載の方法。
【発明の詳細な説明】
【技術分野】
【０００１】
関連出願の相互参照
[0001]本出願は、参考として本明細書に全体として援用される、ＣＡＢＬＥ  ＣＯＮＮＥＣＴＯＲ（ＣＡＢＬＥ  ＧＬＡＮＤ）  ＦＯＲ  ＥＡＲＴＨＩＮＧ，ＢＯＮＤＩＮＧ  ＆  ＥＬＥＣＴＲＯＭＡＧＮＥＴＩＣ  ＣＡＰＡＢＩＬＩＴＹ  ＷＩＴＨ  ＡＲＭＯＲＥＤ  ＯＲ  ＭＥＴＡＬ  ＣＬＡＤ  ＣＡＢＬＥＳと題する２０１６年１０月１８日出願の米国仮特許出願第６２／４０９，７２０号の利益を主張する。
【０００２】
[0002]１．技術分野
[0003]本発明および開示される主題は、一般には、ケーブルコネクタとも呼ばれるケーブルグランドに関し、より詳細には、本発明は、外装ケーブルタイプ、メタルクラッドケーブルタイプ、および金属性シースケーブルタイプとの間でのアース、結合、および電磁両立性のためのケーブルグランドに関する。
【背景技術】
【０００３】
[0004]２．背景技術
[0005]産業プロジェクトの設計および設備では、固定的な剛性コンジット型設備の代替物として、外装ケーブル、メタルクラッドケーブル、および金属性シースケーブルが利用されている。ケーブルに機械的保護および環境的保護を提供するために、コンジットシステムがこれまで使用されてきた。これらの金属性コンジットシステムは、電気的短絡事故に対する保護を提供するために、アースまたは結合されることが必要とされる。これらの必要性に応えるために、多くの様々なアース製品および結合製品が存在している。
【０００４】
[0006]外装ケーブル、メタルクラッドケーブル、および金属性シースケーブルは、これら剛性コンジットシステムの代替物であり、個々のケーブル心線を収容するフレキシブルな金属性被覆を提供して、従来の剛性コンジットシステムとほぼ同じ機械的保護および環境的保護を実現する。外装ケーブル、メタルクラッドケーブル、および金属性シースケーブルは、接続箱または端子箱などの電気的エンクロージャへのケーブル連結点において封止を可能にする装置にも連結されなければならない。ケーブルグランドまたはケーブルコネクタとして知られているこれらの装置の一般的な目的は、１）雨や塵などの環境的要素からケーブルおよびエンクロージャを保護すること、２）ケーブルの保持によってストレインリリーフを実現すること、３）起こり得る短絡事故に対する保護としてアースまたは結合を実現すること、ならびに４）動作機器の電磁的干渉またはさらには物理的破損など、望ましくない影響を生じさせる恐れのあるあらゆる問題に対処するものである、電磁両立性（ＥＭＣ）を実現すること（すなわち干渉の軽減）である。短絡事故に対するこうした保護を実現し、ＥＭＣを実現するには、金属性ケーブルグランドのみがこれらの市場要求に対応しており、またこの分野では非金属性の構成要素の使用に対する抵抗がある。したがって、購買担当者らは、金属性ケーブルグランドの使用に関する高価格、高重量、煩雑な設置要件を押し付けられている。
【発明の概要】
【課題を解決するための手段】
【０００５】
[0007]本発明の一態様によれば、座金シーラントと、第２の座金と、第１の座金と、調節可能アースコイルと、外部ハウジングと、グランド本体とを備え、グランド本体が、グランド本体の中に設けられた封止コネクタと、外部ハウジングの中に受けられるテーパ領域と、グランド本体のテーパ領域に隣り合う第１のねじ山セットとを備え、外部ハウジングが、１つまたは複数のアパーチャを有し、外部ハウジングは、グランド本体に連結され、グランド本体の第１のねじ山セットの周りで回されると、テーパ領域を圧縮するように構成され、それにより、ケーブルグランドに挿入されたケーブルの周りで封止コネクタが締まることが可能になる、ケーブルグランドが提供される。ケーブルグランドは、環境的封止部の機能を提供し、終端点にケーブル心線を持続的に連結するために重要な、ケーブルの保持およびストレインリリーフも提供する。
【０００６】
[0008]本発明の別の態様によれば、グランド本体、外部ハウジング、１つまたは複数の座金および調節可能アースコイルからなる非金属性ケーブルグランドに通されたケーブルを接地する方法であって、調節可能アースコイルの一体化されたタブがケーブルグランドから突出するのを可能にするように、ケーブルグランドの一方の端部に調節可能アースコイルを挿入するステップと、ケーブルグランドの各端部にケーブル受けアパーチャを開けるステップと、ケーブルを受けるのに十分な大きさの円周まで調節可能アースコイルを伸ばすステップと、ケーブルグランドの第１のアパーチャにケーブルを挿入し、ケーブルグランドに通してケーブルグランドの第２のアパーチャから出すステップと、調節可能アースコイルが挿入された端部とは反対側のケーブル受けアパーチャを、ケーブルの定位置にケーブルグランドを保持および締結するのに十分に堅く締めるステップと、調節可能アースコイルと連結することになる領域において、ケーブルの周りに、しかしケーブルの外装、メタルクラッド、または金属シースとケーブルの個々の心線との間に、短絡防止ブッシングを挿入するステップと、ケーブルグランド内部の調節可能アースコイルが、接地用に露出したケーブルの領域においてケーブルの周りで締まるように、調節可能アースコイルを縮めるステップと、ケーブルグランドの外部の接地要素に調節可能アースコイルの一体化されたタブを連結するステップとを含む、方法が提供される。
【発明が解決しようとする課題】
【０００７】
[0009]したがって、本発明の一目的は、改善されたケーブルグランドを提供することである。本発明の別の目的は、ケーブルを接地する助けとなる改善されたアースコイルを提供することである。本発明のさらに別の目的は、ケーブルをアースする改善された方法を提供することである。
【０００８】
[0010]次に、本発明についてより詳細に説明するが、本発明は、縮尺ではなく明瞭さに重点を置いた添付図面に示す、特定の実施形態の参照によって限定されることはない。
【図面の簡単な説明】
【０００９】
【図１】[0011]図１（ａ）は本発明の一実施形態による組立て済みのケーブルグランドの斜視図である。 [0012]図１（ｂ）は本発明の一実施形態による分解されたケーブルグランドの斜視図である。 [0013]図１（ｃ）は本発明の一実施形態による分解されたケーブルグランドの別の斜視図である。
【図２】[0014]図２（ａ）は本発明の一実施形態による合わせ座金コンボ（すなわち座金シーラントおよび第２の座金）の斜視図である。 [0015]図２（ｂ）は本発明の一実施形態による合わせ座金コンボ（すなわち座金シーラントおよび第２の座金）の別の斜視図である。
【図３】[0016]図３（ａ）は本発明の一実施形態による座金を示す図である。 [0017]図３（ｂ）は本発明の一実施形態による座金の別の斜視図である。
【図４】[0018]図４（ａ）は本発明の一実施形態によるグランド本体の斜視図である。図４（ｂ）は本発明の一実施形態によるグランド本体の斜視図である。図４（ｃ）は本発明の一実施形態によるグランド本体の斜視図である。図４（ｄ）は本発明の一実施形態によるグランド本体の斜視図である。図４（ｅ）は本発明の一実施形態によるグランド本体の斜視図である。
【図５】[0019]図５（ａ）は本発明の一実施形態による外部ハウジングの側面図である。 [0020]図５（ｂ）は本発明の一実施形態による外部ハウジングの俯瞰図である。
【図６】[0021]図６（ａ）は本発明の一実施形態による調節可能アースコイルを示す図である。 [0022]図６（ｂ）は本発明の一実施形態による調節可能アースコイルの別の斜視図である。 [0023]図６（ｃ）は本発明の一実施形態による伸ばした調節可能アースコイルを示す図である。
【図７】[0024]図７（ａ）は、ケーブルワイヤが通った状態の、本発明の一実施形態による組立て済みのケーブルグランドの斜視図である。図７（ｂ）は、ケーブルワイヤが通った状態の、本発明の一実施形態による組立て済みのケーブルグランドの斜視図である。図７（ｃ）は、ケーブルワイヤが通った状態の、本発明の一実施形態による組立て済みのケーブルグランドの斜視図である。図７（ｄ）は、ケーブルワイヤが通った状態の、本発明の一実施形態による組立て済みのケーブルグランドの斜視図である。
【図８】[0025]図８（ａ）はアースインサートクランプを示す図である。図８（ｂ）はアースインサートクランプを示す図である。[0026]図８（ｃ）は、アースインサートクランプが挿入されるグランド本体、およびインサートクランプが連結するグランド本体の溝の拡大図である。
【図９】[0027]図９（ａ）は本発明の一実施形態による調節可能アースインサートクランプの斜視図である。図９（ｂ）は本発明の一実施形態による調節可能アースインサートクランプの斜視図である。[0028]図９（ｃ）は、調節可能アースインサートクランプがケーブルグランドに挿入され、ケーブルワイヤがケーブルグランドを通った状態の、本発明の一実施形態によるケーブルグランドの斜視図である。図９（ｄ）は、調節可能アースインサートクランプがケーブルグランドに挿入され、ケーブルワイヤがケーブルグランドを通った状態の、本発明の一実施形態によるケーブルグランドの斜視図である。図９（ｅ）は、調節可能アースインサートクランプがケーブルグランドに挿入され、ケーブルワイヤがケーブルグランドを通った状態の、本発明の一実施形態によるケーブルグランドの斜視図である。
【図１０】[0029]図１０（ａ）は本発明の別の実施形態による代替の調節可能アースコイルの斜視図である。図１０（ｂ）は本発明の別の実施形態による代替の調節可能アースコイルの斜視図である。図１０（ｃ）は本発明の別の実施形態による代替の調節可能アースコイルの斜視図である。図１０（ｄ）は本発明の別の実施形態による代替の調節可能アースコイルの斜視図である。図１０（ｅ）は本発明の別の実施形態による代替の調節可能アースコイルの斜視図である。
【図１１】[0030]図１１（ａ）は本発明の別の実施形態によるさらに別の代替の調節可能アースコイルの斜視図である。図１１（ｂ）は本発明の別の実施形態によるさらに別の代替の調節可能アースコイルの斜視図である。図１１（ｃ）は本発明の別の実施形態によるさらに別の代替の調節可能アースコイルの斜視図である。図１１（ｄ）は本発明の別の実施形態によるさらに別の代替の調節可能アースコイルの斜視図である。
【図１０】[0031]図１０（ａ）は本発明の別の実施形態による代替の調節可能アースコイルの斜視図である。図１０（ｂ）は本発明の別の実施形態による代替の調節可能アースコイルの斜視図である。図１０（ｃ）は本発明の別の実施形態による代替の調節可能アースコイルの斜視図である。図１０（ｄ）は本発明の別の実施形態による代替の調節可能アースコイルの斜視図である。図１０（ｅ）は本発明の別の実施形態による代替の調節可能アースコイルの斜視図である。
【図１２】[0032]本発明の一実施形態による分解された状態のケーブルグランドを示す図である。
【図１３】[0033]本発明の一実施形態によるケーブルグランドの側面図である。
【図１４】[0034]図１４（ａ）は本発明の一実施形態によるグランド本体の側面図である。図１４（ｂ）は本発明の一実施形態によるケーブルグランドの側面図である。
【図１５】[0035]本発明のさらに別の実施形態によるケーブルグランドのグランド本体の斜視図である。
【図１６】[0036]本発明の一実施形態による定力ばね、アースストラップ、および一体化されたタブの正面図である。
【図１７】[0037]本発明のさらに別の実施形態による、定力ばねとともに使用されるときのケーブルグランドの斜視図である。
【図１８】[0038]本発明の一実施形態による組立て済みのケーブルグランドの斜視図である。
【発明を実施するための形態】
【００１０】
[0039]本発明および開示される主題は、一般には、当業界ではケーブルコネクタとも呼ばれるケーブルグランドに関し、本発明は、より詳細には、外装ケーブルタイプ、メタルクラッドケーブルタイプ、および金属性シースケーブルタイプとの間でのアース、結合、および電磁両立性のためのケーブルグランドに関する。
【００１１】
[0040]図１（ａ）には、本発明による組立て済みのケーブルグランド１００の一実施形態の斜視上面図が示してある。ケーブルグランド１００は、グランド本体４０と、グランド本体４０のテーパ端部４６０で外側に配置された外部ハウジング５０と、グランド本体４０の外側に配置された第１の座金３０と、グランド本体４０の外側に配置された第２の座金２０と、グランド本体４０の外側に配置された座金シーラント１０と、グランド本体４０の内側に配置された調節可能アースコイル６０とを備える。グランド本体４０は、グランド本体４０の一方の端部に連結された第２のねじ山セット４４０と、グランド本体４０の反対側の端部に連結された第１のねじ山セット４６０とを備える。グランド本体４０は、外部ハウジング５０と相互作用する第１のねじ山セットに隣り合うテーパ領域４８０をさらに備える（図１（ｂ）および図１（ｂ）を参照）。図４（ｃ）には、グランド本体４０のテーパ領域４８０の中に設けられた封止コネクタ４８２が示されている。グランド本体４０は、グランド本体４０の第１のねじ山セット４６０に設けられた少なくとも１つの解除機構４２０も有する。一実施形態では、グランド本体４０は、グランド本体４０の内周部の周りに１つまたは複数の溝または切欠き４４２をさらに備える（図４（ｄ）を参照）。一実施形態では、グランド本体４０の内周部の周りの溝または切欠き４４２は、様々な形状、深さ、および幅で形成される。別の実施形態では、グランド本体４０は、グランド本体４０の内側周縁部の周りを囲む細いレッジまたは棚状部４４６をさらに備える。図５には、グランド本体４０と相互作用する外部ハウジング５０が示されている。外部ハウジング５０の内側は、ねじ山５１０からなる。外部ハウジング５０は、さらに、少なくとも１つまたは複数のアパーチャ５２０からなる。本発明の一実施形態では、ケーブルグランド１００は、短絡防止ブッシング７００をさらに備える（図８を参照）。
【００１２】
[0041]図６（ａ）には、弛緩し、丸くなった形態の調節可能アースコイル６０が示してあり、図６（ｃ）には伸びた形態の調節可能アースコイル６０が示してある。調節可能アースコイル６０は、円形の形状に巻かれた、平坦でテーパの付いた１枚の長方形の材料であり、各コイルは、前のコイルに重ねて配設されて、丸まった平らなリボンを形成する。テーパの付いた長方形の材料の幅が広いほうの端部６４０はコイルの内層を形成し、テーパの付いた長方形の材料の幅が狭いほうの端部６５０はコイルの外層を形成する。コイルの端部にはわずかな曲げ部６２０が形成されてコイルが巻かれているのとは逆の方向に曲げられ、連結点６３０では一体化されたタブ６１０が調節可能アースコイル６０に取り付けられる。
【００１３】
[0042]調節可能アースコイル６０は、合わせ座金／シーラントコンボ（ｄｏｕｂｌｅ−ｗａｓｈｅｒ−ｓｅａｌａｎｔ−ｃｏｍｂｏ）２３０によってケーブルグランド１００内の定位置に保持される（図２を参照）。合わせ座金／シーラントコンボは、第２の座金２０の平坦面に当接する、座金シーラント１０の平坦面を備え、それにより、小さな細いアパーチャ２２０を除いて、座金間には空間が残らない。この小さな細いアパーチャ２２０は、２つの座金の周縁部の一部であり、座金シーラント１０および第２の座金２０の周縁部に沿った場所で、両方の座金の外周部から両方の座金の内周部へと、２つの当接する座金の間に穴開けされる。一代替実施形態では、合わせ座金／シーラントコンボは、射出成形により、既に１つの構成要素として製造された状態になっている。
【００１４】
[0043]本発明の一代替実施形態では、調節可能アースコイル１０１０は平坦な円形材料であり、この平坦な円形材料は、それに取り付けられた一体化されたタブ１０３０と、円形材料の中心を通って切り取られ、押し出されて星形の穴を形成する、星形の穴１０２０とを備える（図１０（ａ）〜図１０（ｅ）を参照）。
【００１５】
[0044]本発明の別の実施形態では、調節可能アースコイル１１００は、開いた端部を有する短いシリンダであり、シリンダの一方の端部は、切れ目が存在しないシリンダの反対側の端部に向かって長手方向に作成されたいくつかの切れ目を有し、それによっていくつかのフラップ１２５０を形成し、１つを除く各フラップは、切れ目が作成されたシリンダ端部の開口のほうに約４５度折り曲げられる（図１１を参照）。切れ目が作成されたシリンダ端部の開口のほうに折り曲げられていない、その１つのフラップ１２００は、切れ目が作成されたシリンダ端部の開口から離れるように、逆の方向で外向きに約９０度折り曲げられて、一体化されたタブ１２００を形成する。別の実施形態では、１つを除く各フラップは、約３５〜５５度の範囲で折り曲げられる。別の実施形態では、この１つのフラップは、切れ目が作成されたシリンダ端部の開口から離れるように、逆の方向で外向きに約８０〜１００度折り曲げられる。
【００１６】
[0045]本発明のさらに別の実施形態では、ケーブルグランド１０８に調節可能アースインサート８００が使用される（図８（ａ）〜図８（ｃ）を参照）。ケーブルグランド１０８は、座金３０、外部ハウジング５０、調節可能アースインサート８００、グランド本体４０、および短絡防止ブッシング７００からなる。本発明の一実施形態では、ケーブルグランド１０８は、さらに、グランド本体４０に解除機構４２０を備え（図４（ｃ）を参照）、外部ハウジング５０に解除機構５２０を備える（図５（ａ）を参照）。
【００１７】
[0046]一実施形態では、調節可能アースインサート８００は定力ばね８６０からなり、さらに、この定力ばね８６０は、ケーブルクランプインサートの内周部に沿って円形の形状に巻かれた平坦な１枚の長方形の材料からなり、各コイルは、前のコイルの周りを囲んで、丸まった平らなリボンを形成する。一実施形態では、定力ばね８６０は、調節可能アースインサート８００のケーブルクランプインサートに機械的に取り付けられる。別の実施形態では、定力ばね８６０は、調節可能アースインサート８００のケーブルクランプインサートの溝または開口に嵌合し、定位置に固定される。別の実施形態では、一体化されたタブ８１０が、連結点において定力ばね８６０に取り付けられる。一実施形態では、一体化されたタブ８１０は、機械的連結点、ハンダ連結点、または接着連結点によって連結点に取り付けられる。さらに別の実施形態では、アースストラップ１６２０が、一体化されたタブ８１０に取り付けられる。一実施形態では、アースストラップ１６２０は、定力ばね８６０に取り付けられる（図１６を参照）。一実施形態では、アースストラップ１６２０の第１の端部が、連結点において、一体化されたタブ（図示せず）に取り付けられる。別の実施形態では、アースストラップ１６２０の第１の端部は、連結点において定力ばね８６０に取り付けられる。一実施形態では、アースストラップ１６２０は、機械的連結部、ハンダ連結部、または接着連結部によって取り付けられる。一実施形態では、アースストラップ１６２０はアース編組線またはアースケーブルであり、導電性金属から作成される。別の実施形態では、短絡防止ブッシング７００も調節可能アースインサート８００に取り付けられる。短絡防止ブッシング７００は、ケーブルグランドに通されたケーブルに接触する定力ばね８６０の周縁部に取り付けられる。
【００１８】
[0047]本発明のさらに別の実施形態では、ケーブルグランド１０９には調節可能アースインサートクランプ９００が使用される（図９（ａ）〜図９（ｅ）を参照）。ケーブルグランド１０９は、座金３０、外部ハウジング５０、調節可能アースインサートクランプ９００、グランド本体４０、および短絡防止ブッシング７００からなる。本発明の一実施形態では、ケーブルグランド１０９は、さらに、グランド本体４０に解除機構４２０を備え（図４（ｃ）を参照）、外部ハウジング５０に解除機構５２０を備える（図５（ａ）を参照）。
【００１９】
[0048]一実施形態では、調節可能アースインサートクランプ９００は、調節可能ケーブルインサートクランプからなる。一実施形態では、調節可能アースインサートクランプ９００は、連結点において調節可能アースインサートクランプ９００に取り付けられた、一体化されたタブ９１０をさらに備える。一実施形態では、一体化されたタブ９１０は、機械的連結点、ハンダ連結点、または接着連結点によって連結点に取り付けられる。さらに別の実施形態では、一体化されたタブ９１０は、調節可能アースインサートクランプ９００に取り付けられる。一実施形態では、アースストラップ１７７０が、調節可能アースインサートクランプ９００に取り付けられる。一実施形態では、アースストラップ１７６０の第１の端部が、連結点において、一体化されたタブ９１０に取り付けられる。別の実施形態では、アースストラップ１７６０の第１の端部は、連結点において調節可能アースインサートクランプ９００に取り付けられる。一実施形態では、アースストラップは、機械的連結部、ハンダ連結部、または接着連結部によって取り付けられる。一実施形態では、アースストラップはアース編組線またはアースケーブルであり、導電性金属から作成される。一実施形態では、短絡防止ブッシング７００も、ケーブルグランドに通されたケーブルに接触するクランプ９００の周縁部において、調節可能アースインサートクランプ９００に取り付けられる。
【００２０】
[0049]本発明の一実施形態では、ケーブルグランド１００は、グランド本体４０のテーパ領域４８０に外部ハウジング５０を連結し、グランド本体４０の第１のねじ山セット４６０の周りで外部ハウジング５０を回すことによって組み立てられる。外部ハウジング５０は、グランド本体のテーパ領域４８０を圧縮するように構成され、それにより、グランド本体内部の封止コネクタグランド４８２が、ケーブルの周りで締まることが可能になる。本発明の一実施形態では、グランド本体４０の解除機構４２０はばねボタンである。外部ハウジング５０が所定の堅さまでトルクをかけられると、外部ハウジング５０のアパーチャ５２０は、グランド本体の解除機構４２０に揃うことになる。ばねボタン４２０は外部ハウジング５０のアパーチャ５２０と相互作用し、押下位置から隆起位置へと変化する。ばねボタン４２０は、グランド本体４０に対して外部ハウジング５０の位置を保持するさらなる助けとなる。一実施形態では、ばねボタン４２０の隆起位置は、ケーブルグランド１００が十分に締められているという視覚的指標を提示する。
【００２１】
[0050]本発明の別の実施形態では、グランド本体４０の解除機構４２０は、テーパ領域４８０の１つまたは複数のアパーチャである。外部ハウジング５０も、１つまたは複数のアパーチャ５２０を有する。外部ハウジング５０はグランド本体４０と相互作用し、所定の堅さまでトルクをかけられる；外部ハウジング５０の１つまたは複数のアパーチャ５２０は、グランド本体４０の１つまたは複数のアパーチャ４２０と揃うように構成され、少なくとも１つの止めねじを受けるように構成される。アパーチャが揃うと、少なくとも１つの止めねじが装着され、外部ハウジング５０とグランド本体４０をともに定位置に保持する。一実施形態では、少なくとも１つの止めねじは、ケーブルグランド１００が十分にトルクをかけられているという視覚的指標として機能し、また組立てが完了したという視覚的指標として機能する。止めねじが適切に係合されていない場合、止めねじは突き出るはずであり、取付け者は、止めねじが適切に係合されていない、またはケーブルグランド１００が十分にトルクをかけられていないということを把握することができる。
【００２２】
[0051]別の実施形態では、少なくとも１つの止めねじは、ねじ山にくぼみまたはペインバブルを有して、ケーブルグランド１００が十分にトルクをかけられているか否かについての別の視覚的指標を提示することになる。少なくとも１つの止めねじのねじ山は鮮やかな色に着色され、またこれらのねじ山は十分に締められると目に見えなくなるはずであり、したがって、ケーブルグランド１００は十分にトルクをかけられており、また少なくとも１つの止めねじは十分に締められているという視覚的指標を提示する。さらに別の実施形態では、少なくとも１つの止めねじは、ねじ山の端部にペイントバブルを有する中空である。
【００２３】
[0052]別の実施形態では、グランド本体４０は、ケーブルグランド１００が十分にトルクをかけられているということを視覚的に示す代替の方法を有する。図１５を参照すると、ケーブル本体１５２０のねじ山１５２２のうち、着色されたある長さの部分１５２４が存在する。この着色された長さ部分１５２４は、ケーブルグランド１００に挿入されたケーブルにケーブルグランド１００を締結するために必要とされる最低限の堅さに対応する。取付け者は、この着色された長さ部分１５２４を通り過ぎるまで外部ハウジング５０を締めることになる。これは、ケーブルグランド１００が十分に締められているという視覚的指標として機能するはずである。これらの着色された長さ部分は、ケーブルの外径に応じて変動することになる。
【００２４】
[0053]ケーブルの周りでケーブルグランド１００を十分に締めた後、第１の座金３０がグランド本体４０に連結される。一実施形態では、第１の座金３０は、第１の座金３０の内側周縁部の周りにねじ山３３０を有する。グランド本体４０に第１の座金３０を連結するために、第１の座金３０のねじ山３３０は、グランド本体４０に位置付けられた第２のねじ山セット４４０と相互作用する。第１の座金３０がグランド本体４０に連結された後、合わせ座金／シーラントコンボ２３０がグランド本体４０に連結される。一実施形態では、合わせ座金／シーラントコンボ２３０は、合わせ座金／シーラントコンボ２３０の内側周縁部の周りにねじ山２４０を有する。グランド本体４０に合わせ座金／シーラントコンボ２３０を連結するために、これらのねじ山２４０も、グランド本体４０に位置付けられた第２のねじ山セット４４０と相互作用する。合わせ座金／シーラントコンボ２３０がグランド本体４０に連結されると、調節可能アースコイル６０が合わせ座金／シーラントコンボ２３０の内側に、またグランド本体４０の内側に挿入される。第１に、合わせ座金／シーラントコンボの内側周縁部から合わせ座金／シーラントコンボを通って合わせ座金／シーラントコンボから出るように、合わせ座金／シーラントコンボの細いアパーチャ２２０に調節可能アースコイル６０の一体化されたタブ６１０を挿入することにより、調節可能アースコイル６０が定位置に保持され、その結果、一体化されたタブ６１０はケーブルグランド１００の外側で外方に突出し、調節可能アースコイル６０の残りの部分はケーブルグランド１００の内側で定位置に保持される（図７（ａ）〜図７（ｄ）を参照）。調節可能アースコイル６０は、第２に、そのコイルの端部の曲げ部６２０がグランド本体の少なくとも１つまたは複数の溝４４２に引っ掛かったとき、定位置に保持される。
【００２５】
[0054]本発明の一実施形態では、調節可能アースコイル６０の端部の曲げ部６２０がグランド本体４０の少なくとも１つまたは複数の溝４４２に引っ掛かっているとき、合わせ座金／シーラントコンボ２３０がグランド本体４０の第２のねじ山セット４４０の周りで回されるにつれて、調節可能アースコイル６０は伸縮する。グランド本体４０の第２のねじ山セット４４０の周りで、調節可能アースコイル６０が巻かれている方向とは逆の方向に合わせ座金／シーラントコンボ２３０を回転させる力が加えられるにつれて、調節可能アースコイル６０は伸びる。加えられていた、合わせ座金／シーラントコンボ２３０を回転させる力が緩められると、調節可能アースコイル６０は自然に縮む。この力が緩められると、調節可能アースコイル６０は即座に縮み、コイルはその元の堅さに戻って、ケーブルの外装、メタルクラッド、または金属シースの周りにしっかりとはまり、それにより、適切なアースまたは結合のための連結部を提供するが、これは、ケーブルグランド１００においては、力が加えられていたのとは逆の方向に合わせ座金／シーラントコンボ２３０を回し戻すことである。一実施形態では、調節可能アースコイル６０を繰り返し伸縮させることにより、またはケーブルグランド１００の様々な部分の縁部と繰り返し接触することにより、時間が経つにつれてケーブルが切れるかまたは短絡することを防止するために、短絡防止ブッシング７００がケーブルに連結される。一実施形態では、ケーブルグランド１００は非金属性材料から作成される。
【００２６】
[0055]本発明の一実施形態では、調節可能アースコイル６０は定力ばねである。定力ばねが完全に巻かれているとき、定力ばねは弛緩している。定力ばねが広げられたとき、その弛緩して丸まった位置へと定力ばねを戻らせるように動作する復元力が発生する。
【００２７】
[0056]本発明の別の実施形態では、第１の座金３０がグランド本体４０に連結され、次いで、調節可能アースインサート８００が、ケーブルグランド１００のグランド本体４０に挿入される。一実施形態では、調節可能アースインサート８００は、第１に調節可能アースインサート８００をグランド本体４０にしっかりと嵌合させてはめ込み、第２にグランド本体の内側周縁部のレッジまたは棚状部４４６に引っ掛かることにより、定位置に保持される。
【００２８】
[0057]本発明の一実施形態では、定力ばね８６０が調節可能アースインサート８００およびグランド本体４０の内側で回されるにつれて、調節可能アースインサート８００の定力ばね８６０は伸縮する。より具体的には、グランド本体４０の内側の周りで、定力ばね８６０または調節可能アースコイル６０が巻かれている方向とは逆の方向に定力ばね８６０を回転させる力が加えられるにつれて、調節可能アースインサート８００は伸びる。定力ばね８６０と調節可能アースコイル６０とは類似しており、互いに区別なく参照することができる。定力ばね８６０を回転させる力が緩められると、定力ばね８６０は自然に縮む。この力が緩められると、定力ばねは即座に縮み、コイルはその元の堅さに戻って、ケーブルグランド１００の中にあるケーブルの周りにしっかりとはまる。一実施形態では、コイルが完全に広げられたときに生じる最大の力は、コイルが巻かれ、広げられた回数に関係なく一定のままである。その弛緩状態では、材料の内側周縁部のコイルは、利用可能な最小のケーブル直径の円周の小ささまで丸まる。別の実施形態では、材料の内側周縁部のコイルは、わずか約２〜４ミリメートルまで丸まる。
【００２９】
[0058]一実施形態では、調節可能アースコイル６０は、ケーブルへの電気連結点として機能する。一体化されたタブ６１０が、調節可能アースコイル６０とアースストラップ１６２０の間の連結点として機能する（図１６を参照）。アースストラップ１６２０は、アースストラップ１６２０の第１の端部において、調節可能アースコイル６０の一体化されたタブ６１０に取り付けられる。アースストラップ１６２０の第２の端部１６３０は、電気機器のアース点または結合点に取り付けられる。一実施形態では、アースストラップ１６２０は、機械的連結点、ハンダ連結点、または接着連結点によって調節可能アースコイル６０に取り付けられて、単一の、一体化されたアースおよび結合装置を形成する。一実施形態では、アースストラップ１６２０は、編組された材料、またはアース編組線もしくはアースケーブルであり、導電性金属から作成される。一実施形態では、調節可能アースコイル６０は定力ばねである。本発明の別の実施形態では、調節可能アースコイル６０は、ケーブルグランド１００の本体の中で、ケーブルグランド１００に挿入されるケーブルに沿った上向きらせん円錐体を形成するように構成される。調節可能アースコイル６０のらせん円錐体は、円錐体またはスリーブを形成する。スリーブは、シーラントを受けるように構成される。別法として、シーラントを受けるために、独立したスリーブが使用される。この円錐体またはスリーブの目的は、シーラントを保持し、また引火性ガスまたは引火性液体がケーブルの内部を通り、電気アークを示している領域への生じうる移動を防止して、起こり得る爆発を和らげることである。一実施形態では、シーラントは、エポキシ、樹脂、パテ、または別のタイプのシーラントである。
【００３０】
[0059]図１７には、本発明の一実施形態の、完全に組み立てられたケーブルグランド１７００が示してある。アースストラップ１７７０は、グランド本体１７２０の内側に嵌合する調節可能アースコイル１７６０の一体化されたタブ（図示せず）に取り付けられる第１の端部と、電気機器のアース点または結合点に取り付けられることになる第２の端部１７６０とを有する。本発明の一実施形態では、調節可能アースコイル１７６０は、ケーブルグランド１７００に挿入されたケーブルに沿って延び、円錐体またはスリーブを形成する。スリーブは、エポキシまたは別のタイプのシーラントを受けるように構成される。別法として、シーラントを受けるために、独立したスリーブが使用される。
【００３１】
[0060]本発明の一実施形態では、座金シーラント１０、第２の座金２０、第１の座金３０、調節可能アースコイル６０、外部ハウジング５０、グランド本体４０からなるケーブルグランド１００を通るケーブルを接地する方法であって、グランド本体４０が、グランド本体４０の中に設けられた封止コネクタ４８２と、外部ハウジング５０の中に受けられるテーパ領域４８０と、グランド本体のテーパ領域に隣り合う第１のねじ山セット４６０とを備え、外部ハウジングが、１つまたは複数のアパーチャを有し、方法は、
１）調節可能アースコイル６０に取り付けられた一体化されたタブ６１０がケーブルグランド１００から突出するのを可能にするように、組み立てたケーブルグランド１００の一方の端部に調節可能アースコイル６０を挿入するステップと、
２）ケーブルグランド１００の各端部にケーブル受けアパーチャを開けるステップと、
３）ケーブルを受けるのに十分な大きさの円周まで調節可能アースコイル６０を伸ばすステップと、
４）ケーブルグランド１００の第１のアパーチャにケーブルを挿入し、ケーブルグランド１００にケーブルを通してケーブルグランド１００の第２のアパーチャから出すステップと、
５）調節可能アースコイル６０が挿入された端部とは反対側のケーブル受けアパーチャを、ケーブルの定位置にケーブルグランド１００を保持および締結するのに十分に堅く締めるステップと、
６）調節可能アースコイル６０と相互作用することになる領域のケーブルの周りに短絡防止ブッシング７００を挿入するステップと、
７）ケーブルグランド１００内部の調節可能アースコイル６０が、接地用に露出したケーブルの領域においてケーブルの周りで締まるように、調節可能アースコイル６０を縮めるステップと、
８）ケーブルグランド１００の外部の接地要素に調節可能アースコイル６０を連結するステップとを含む。
【００３２】
[0061]本発明の一実施形態では、調節可能アースコイル６０を伸ばす方法は、ケーブルグランド１００のグランド本体４０の少なくとも１つまたは複数の溝４４２に調節可能アースコイル６０の端部を引っ掛けるステップと、調節可能アースコイルが巻かれている方向とは逆の方向にケーブルグランドを回すステップとを含む。
【００３３】
[0062]本発明の一実施形態では、調節可能アースコイル６０が挿入されている場所とは反対側のケーブルグランド１００の端部を締める方法は、第１のねじ山セット４６０の周りでケーブルグランド１００の外部ハウジング５０を回すステップを含む。
【００３４】
[0063]本発明の一実施形態では、調節可能アースコイル６０を縮める方法は、ケーブルグランド１００のグランド本体４０の少なくとも１つまたは複数の溝４４２に調節可能アースコイル６０の端部を引っ掛けるステップと、調節可能アースコイル６０に加えられている、調節可能アースコイル６０が巻かれている方向とは逆の方向に調節可能アースコイル６０を回転させている圧力を緩めるステップとを含む。別の実施形態では、１つまたは複数の溝４４２は、グランド本体に存在する。別の実施形態では、溝は、様々な形状、深さ、および幅からなる。
【００３５】
[0064]別の実施形態では、調節可能アースコイル６０を縮める方法は、ケーブルグランド１００のグランド本体４０の少なくとも１つまたは複数の溝４４２に調節可能アースコイル６０の端部を引っ掛けるステップと、調節可能アースコイル６０が巻かれているのと同じ方向に、ケーブルグランド１００の第２のねじ山セット４４０の周りで第２の座金２０を回すステップとを含む。
【００３６】
[0065]本発明の別の実施形態では、ケーブルグランド１００の外部の接地要素に調節可能アースコイル６０を連結する方法は、調節可能アースコイル６０に取り付けられた一体化されたタブ６１０にアースストラップ１６２０の第１の端部を取り付けるステップと、ケーブルグランド１００の外部のアース点にアースストラップの第２の端部１６３０を取り付けるステップとを含む。
【００３７】
[0066]本発明の別の実施形態では、ケーブルグランド１００の外部の接地要素に調節可能アースコイル６０を連結する方法は、機械的連結点、ハンダ連結点、または接着連結点によって調節可能アースコイル６０にアースストラップ１６２０の第１の端部を取り付けて、単一の、一体化されたアースおよび結合装置を形成するステップと、ケーブルグランド１００の外部のアース点にアースストラップ１６３０の第２の端部を取り付けるステップとを含む。
【図１Ａ】
2020501499.tif 000003
【図１Ｂ】
2020501499.tif 000004
【図１Ｃ】
2020501499.tif 000005
【図２Ａ】
2020501499.tif 000006
【図２Ｂ】
2020501499.tif 000007
【図３Ａ】
2020501499.tif 000008
【図３Ｂ】
2020501499.tif 000009
【図４Ａ】
2020501499.tif 000010
【図４Ｂ】
2020501499.tif 000011
【図４Ｃ】
2020501499.tif 000012
【図４Ｄ】
2020501499.tif 000013
【図４Ｅ】
2020501499.tif 000014
【図５Ａ】
2020501499.tif 000015
【図５Ｂ】
2020501499.tif 000016
【図６Ａ】
2020501499.tif 000017
【図６Ｂ】
2020501499.tif 000018
【図６Ｃ】
2020501499.tif 000019
【図７Ａ】
2020501499.tif 000020
【図７Ｂ】
2020501499.tif 000021
【図７Ｃ】
2020501499.tif 000022
【図７Ｄ】
2020501499.tif 000023
【図８Ａ】
2020501499.tif 000024
【図８Ｂ】
2020501499.tif 000025
【図８Ｃ】
2020501499.tif 000026
【図９Ａ】
2020501499.tif 000027
【図９Ｂ】
2020501499.tif 000028
【図９Ｃ】
2020501499.tif 000029
【図９Ｄ】
2020501499.tif 000030
【図９Ｅ】
2020501499.tif 000031
【図１０Ａ】
2020501499.tif 000032
【図１０Ｂ】
2020501499.tif 000033
【図１０Ｃ】
2020501499.tif 000034
【図１０Ｄ】
2020501499.tif 000035
【図１０Ｅ】
2020501499.tif 000036
【図１１Ａ】
2020501499.tif 000037
【図１１Ｂ】
2020501499.tif 000038
【図１１Ｃ】
2020501499.tif 000039
【図１１Ｄ】
2020501499.tif 000040
【図１２】
2020501499.tif 000041
【図１３】
2020501499.tif 000042
【図１４Ａ】
2020501499.tif 000043
【図１４Ｂ】
2020501499.tif 000044
【図１５】
2020501499.tif 000045
【図１６】
2020501499.tif 000046
【図１７】
2020501499.tif 000047
【図１８】
2020501499.tif 000048
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
グランド本体と、
前記グランド本体の第１の端部に連結するための少なくとも１つのアパーチャを有する外部ハウジングと、
前記グランド本体の反対側の端部で外側に配置することができる座金と、
前記グランド本体の内側に配置される調節可能アースインサートとを備え、
前記グランド本体が、
前記グランド本体の中に設けられた封止コネクタと、
前記外部ハウジングの前記少なくとも１つのアパーチャに受けられるように構成されるテーパ領域と、
前記グランド本体の前記テーパ領域に隣り合う第１のねじ山セットとを備え、
前記外部ハウジングが、１つまたは複数のアパーチャを有し、
前記外部ハウジングが、前記グランド本体に連結され、前記グランド本体の前記第１のねじ山セットの周りで回されると、前記テーパ領域を圧縮するように構成され、それにより、前記封止コネクタの周縁部を縮めさせる、
ケーブルグランド。
【請求項２】
前記グランド本体の前記第１のねじ山セットの長さの一部が着色された、請求項１に記載のケーブルグランド。
【請求項３】
前記調節可能アースインサートが、円筒形インサートの外辺部の内側で円形の形状に巻かれた平坦な１枚の長方形の材料からなる定力ばねであり、各コイルが、前のコイルの周りを囲んで、丸まった平らなリボンを形成し、前記コイルの一方の端部が、前記コイルが巻かれているのとは逆の方向にわずかな曲げ部を形成する、請求項１に記載のケーブルグランド。
【請求項４】
一体化されたタブが、前記調節可能アースインサートに取り付けられる、請求項３に記載のケーブルグランド。
【請求項５】
短絡防止ブッシングが、前記調節可能アースインサートに取り付けられる、請求項４に記載のケーブルグランド。
【請求項６】
前記座金が前記グランド本体にまず配置され、次いで、前記調節可能アースインサートが前記グランド本体に挿入される、請求項５に記載のケーブルグランド。
【請求項７】
前記グランド本体の少なくとも１つまたは複数の溝に前記調節可能アースインサートの端部の前記曲げ部を引っ掛けることにより、前記調節可能アースインサートが前記グランド本体の中に締結される、請求項６に記載のケーブルグランド。
【請求項８】
前記調節可能アースインサートが、前記グランド本体の前記内周部の周りの円形のレッジに前記調節可能アースインサートを嵌合させることによって挿入される、請求項６に記載のケーブルグランド。
【請求項９】
前記調節可能アースインサートは、前記グランド本体の内側の前記調節可能アースインサートを回転させる力が加えられたときに伸び、前記力が緩められたときに縮む、請求項６に記載のケーブルグランド。
【請求項１０】
前記ケーブルグランドが、非金属性材料から作成される、請求項１に記載のケーブルグランド。
【請求項１１】
グランド本体と、
前記グランド本体の一方の端部に連結するための少なくとも１つのアパーチャを有する外部ハウジングと、
前記グランド本体の外側に配置することができる座金と、
前記グランド本体の内側に配置される調節可能アースコイルとを備え、
前記グランド本体が、
前記グランド本体の中に設けられた封止コネクタと、
前記外部ハウジングに受けられるように構成されるテーパ領域と、
前記グランド本体の前記テーパ領域に隣り合う第１のねじ山セットとを備え、
前記外部ハウジングが、１つまたは複数のアパーチャを有し、
前記外部ハウジングが、前記グランド本体に連結され、前記グランド本体の前記第１のねじ山セットの周りで回されると、前記テーパ領域を圧縮するように構成され、それにより、前記封止コネクタの周縁部を縮めさせる、
ケーブルグランド。
【請求項１２】
前記グランド本体の前記第１のねじ山セットの長さの一部が着色された、請求項１１に記載のケーブルグランド。
【請求項１３】
前記調節可能アースコイルが、調節可能ケーブルインサートクランプを備える、請求項１１に記載のケーブルグランド。
【請求項１４】
一体化されたタブが、前記調節可能アースコイルに取り付けられる、請求項１３に記載のケーブルグランド。
【請求項１５】
短絡防止ブッシングが、前記調節可能アースコイルに取り付けられる、請求項１４に記載のケーブルグランド。
【請求項１６】
前記座金が、前記グランド本体の第２のねじ山セットの周りで外側にまず配置され、次いで、前記調節可能アースコイルが、前記第２のねじ山セットが収容された前記グランド本体の端部で前記グランド本体に挿入される、請求項１５に記載のケーブルグランド。
【請求項１７】
前記調節可能アースコイルが、前記グランド本体の内周部の周りの円形のレッジに前記調節可能アースコイルを嵌合させることによって前記グランド本体に締結される、請求項１６に記載のケーブルグランド。
【請求項１８】
前記ケーブルグランドが、非金属性材料から作成される、請求項１１に記載のケーブルグランド。
【請求項１９】
アースコイルであって、
円形の形状に巻かれた、長方形の平坦な１枚の材料であって、各コイルが、前のコイルに重ねて配設されて丸まった平らなリボンを形成し、前記材料が、完全に巻かれているときは弛緩しており、前記材料が広げられたときには復元力が発生し、前記発生した力が、弛緩して丸まった位置へと前記材料を戻らせるように動作する、テーパの付いた長方形の平坦な１枚の材料と、
前記アースコイルに取り付けられた一体化されたタブと
を備える、アースコイル。
【請求項２０】
座金シーラント、第２の座金、第１の座金、調節可能アースコイル、外部ハウジングおよびグランド本体からなるケーブルグランドを通るケーブルを接地する方法であって、前記グランド本体が、前記グランド本体の中に設けられた封止コネクタと、前記外部ハウジングの中に受けられるテーパ領域と、前記グランド本体の前記テーパ領域に隣り合う第１のねじ山セットとを備え、前記外部ハウジングが、１つまたは複数のアパーチャを有し、前記方法が、
前記調節可能アースコイルに取り付けられた一体化されたタブが前記ケーブルグランドから突出するのを可能にするように、前記ケーブルグランドの一方の端部に前記調節可能アースコイルを挿入するステップと、
前記ケーブルグランドの各端部にケーブル受けアパーチャを開けるステップと、
ケーブルを受けるのに十分な大きさの円周まで前記調節可能アースコイルを伸ばすステップと、
前記ケーブルグランドの第１のアパーチャに前記ケーブルを挿入し、前記ケーブルグランドに前記ケーブルを通して前記ケーブルグランドの第２のアパーチャから出すステップと、
前記調節可能アースコイルが挿入された前記端部とは反対側の前記ケーブル受けアパーチャを、前記ケーブルの定位置に前記ケーブルグランドを保持および締結するのに十分に堅く締めるステップと、
前記ケーブルグランド内部の前記調節可能アースコイルが、接地用に露出した前記ケーブルの領域において前記ケーブルの周りで締まるように、前記調節可能アースコイルを縮めるステップと、
前記ケーブルグランドの外部の接地要素に前記調節可能アースコイルを連結するステップと
を含む、方法。
【請求項２１】
前記調節可能アースコイルを挿入するステップが、
前記ケーブルグランドの一方の端部で、２つの座金の間に前記調節可能アースコイルを挿入するステップと、
前記コイルの端部が前記ケーブルグランドの前記本体の少なくとも１つまたは複数の溝に引っ掛かるように、前記調節可能アースコイルを回すステップと
を含む、請求項２０に記載の方法。
【請求項２２】
前記調節可能アースコイルを伸ばすステップが、前記ケーブルグランドの前記グランド本体の前記少なくとも１つまたは複数の溝に前記調節可能アースコイルの前記端部を引っ掛けるステップと、前記調節可能アースコイルが巻かれている方向とは逆の方向前記ケーブルグランドを回すステップとを含む、請求項２０に記載の方法。
【請求項２３】
前記調節可能接地コイルが挿入された場所とは反対側の前記ケーブルグランドの前記端部を締めるステップが、前記グランド本体の前記テーパ領域に隣り合う前記第１のねじ山セットの周りで前記ケーブルグランドの前記外部ハウジングを回すステップを含む、請求項２０に記載の方法。
【請求項２４】
前記調節可能アースコイルを縮めるステップが、前記ケーブルグランドの前記グランド本体の前記少なくとも１つまたは複数の溝に前記調節可能アースコイルの前記端部を引っ掛けるステップと、前記調節可能アースコイルに加えられている、前記調節可能アースコイルが巻かれている方向とは逆の方向に前記調節可能アースコイルを回転させているいかなる圧力も緩めるステップとを含む、請求項２０に記載の方法。
【請求項２５】
前記調節可能アースコイルを縮めるステップが、前記ケーブルグランドの前記グランド本体の少なくとも１つまたは複数の溝に前記調節可能アースコイルの前記端部を引っ掛けるステップと、前記調節可能アースコイルが巻かれているのと同じ方向に、前記グランド本体の第２のねじ山セットの周りで前記第２の座金を回すステップとを含む、請求項２０に記載の方法。
【請求項２６】
前記調節可能アースコイルを縮めるステップが、前記ケーブルグランドの内側に沿って前記コイルを延ばして、シーラントを受けるように構成されたスリーブを形成するステップをさらに含む、請求項２５に記載の方法。
【請求項２７】
前記ケーブルグランドの外部の接地要素に前記調節可能アースコイルを連結するステップが、前記調節可能アースコイルに取り付けられた一体化されたタブにアースストラップの第１の端部を取り付けるステップと、前記ケーブルグランドの外部のアース点に前記アースストラップの第２の端部を取り付けるステップとを含む、請求項２０に記載の方法。
【請求項２８】
前記ケーブルグランドの外部の接地要素に前記調節可能アースコイルを連結するステップが、前記調節可能アースコイルにアースストラップの第１の端部を取り付けるステップと、前記ケーブルグランドの外部のアース点に前記アースストラップの前記第２の端部を取り付けるステップとを含む、請求項２０に記載の方法。
【国際調査報告】
2020501499.tif 000049